(57)【要約】【課題】同一機種の監視装置が複数設置されているような状況においても、アラームの出力源を容易かつ迅速に特定しうるようにする。【解決手段】記憶部１５は、自装置を他の監視装置と識別する識別情報１５ａを格納する。報知部１４は、監視対象２０が所定の条件を充足したことを示す報知情報とともに、識別情報１５ａを出力する。【選択図】図１
2014124323.tif 000002
【特許請求の範囲】
【請求項１】
監視装置であって、
自装置を他の監視装置と識別する識別情報を格納する記憶部と、
監視対象が所定の条件を充足したことを示す報知情報とともに、前記識別情報を出力する報知部とを備える、監視装置。
【請求項２】
前記識別情報は、少なくとも音声情報として出力される、請求項１に記載の監視装置。
【請求項３】
前記識別情報は、自装置を特定する装置ＩＤと自装置の設置位置の少なくとも一方を含む、請求項１または２に記載の監視装置。
【請求項４】
監視対象としての患者の生体情報を取得する情報取得部をさらに備え、
前記設置位置は、病室番号、ベッド番号、病室におけるベッドの位置、患者ＩＤ、患者名の少なくとも１つにより示される、請求項１から３のいずれか一項に記載の監視装置。
【請求項５】
前記報知情報が出力されていないときにも前記識別情報を表示する表示部をさらに備える、請求項１から４のいずれか一項に記載の監視装置。
【請求項６】
前記表示部に表示される前記識別情報は、文字、記号、色の少なくとも１つにより他の監視装置との識別を可能とするものである、請求項５に記載の監視装置。
【請求項７】
前記識別情報を入力する入力部をさらに備え、
前記記憶部は、前記識別情報を更新可能に格納する、請求項１から６のいずれか一項に記載の監視装置。
【発明の詳細な説明】
【技術分野】
【０００１】
本発明は、監視対象が所定の条件を充足したときに報知を行なう報知部を備える監視装置に関する。
【背景技術】
【０００２】
この種の装置として、医療機関等に設置されて監視対象としての患者の生体情報を取得し、当該生体情報が所定の条件を充足したときにアラームを出力するモニタ装置が知られている（例えば、特許文献１参照）。
【先行技術文献】
【特許文献】
【０００３】
【特許文献１】特開２０１１−７２５６８号公報
【発明の概要】
【発明が解決しようとする課題】
【０００４】
医療機関等においては、主に操作者の負担増加や混乱を防ぐために、あるいは機器管理の容易さを考慮して、同一の機能を有する監視装置は機種を統一するという運用がなされていることが多い。同一機種の監視装置は同一の方法でアラームを出力するため、複数の監視装置が同時にアラームを出力している場合や、同一の場所に同一機種の監視装置が複数設置されている場合には、にわかにアラームの出力源を特定できないことがある。このことは医療従事者にとってアラーム状態に対する迅速な対応を妨げる要因となりうる。
【０００５】
よって本発明は、同一機種の監視装置が複数設置されているような状況においても、アラームの出力源を容易かつ迅速に特定しうる技術を提供することを目的とする。
【課題を解決するための手段】
【０００６】
上記の目的を達成するために、本発明がとりうる一態様は、監視装置であって、
自装置を他の監視装置と識別する識別情報を格納する記憶部と、
監視対象が所定の条件を充足したことを示す報知情報とともに、前記識別情報を出力する報知部とを備える。
【０００７】
このような構成によれば、ある監視装置を他の監視装置と識別する情報が報知情報とともに報知されるため、ユーザはアラームの報知源を容易に把握することができる。前記識別情報は、少なくとも音声情報として出力されることが好ましい。
【０００８】
前記識別情報は、自装置を特定する装置ＩＤと自装置の設置位置の少なくとも一方を含む構成としてもよい。この場合、報知を受けたユーザは、その報知源をより直感的に把握することができる。
【０００９】
監視対象としての患者の生体情報を取得する情報取得部をさらに備え、前記設置位置は、病室番号、ベッド番号、病室におけるベッドの位置、患者ＩＤ、患者名の少なくとも１つにより示される構成としてもよい。この場合、医療従事者は報知源の監視装置を容易に特定し、患者のもとへ迅速に駆けつけることが可能となる。
【００１０】
前記報知情報が出力されていないときにも前記識別情報を表示する表示部をさらに備える構成としてもよい。この場合、報知情報が出力されていない状態においても、当該監視装置と識別情報の対応付けを日常的にユーザに示して意識付けをすることができる。
【００１１】
ここで前記表示部に表示される前記識別情報は、文字、記号、色の少なくとも１つにより他の監視装置との識別を可能とするものとすることができる。
【００１２】
前記識別情報を入力する入力部をさらに備え、前記記憶部は、前記識別情報を更新可能に格納する構成としてもよい。この場合、同一の監視装置を用いつつも、使用状況に応じて報知内容を適切に変更することができる。
【図面の簡単な説明】
【００１３】
【図１】本発明の一実施形態に係るモニタ装置の構成を示す機能ブロック図である。
【図２】モニタ装置の使用例を示す図である。
【図３】モニタ装置の使用例を示す図である。
【図４】モニタ装置の使用例を示す図である。
【発明を実施するための形態】
【００１４】
添付の図面を参照しつつ、本発明の実施形態について以下詳細に説明する。なお以下の説明に用いる各図面では、各部材を認識可能な大きさとするために縮尺を適宜変更している。
【００１５】
図１は、本発明の一実施形態に係るモニタ装置１０の構成を示す機能ブロック図である。本発明の監視装置としてのモニタ装置１０は、測定部１１、制御部１２、表示部１３、報知部１４、記憶部１５、および識別情報入力部１６を備えている。
【００１６】
監視対象としての患者２０には電極やカフ等の各種センサ２１が装着され、患者２０の容体を示す各種パラメータに係る測定信号が測定部１１に入力される。パラメータの例としては、心拍数、脈拍数、動脈血酸素飽和度、呼気中の二酸化炭素濃度、血圧、呼吸数、脳圧、体温などが挙げられる。本発明の情報取得部としての測定部１１は、生体情報として当該パラメータの測定値を取得する。
【００１７】
制御部１２は、ＣＰＵ等の演算素子、およびＲＡＭやＲＯＭ等のメモリを備える演算処理回路であり、モニタ装置１０の動作全般を制御する。以降に述べる制御部１２の各種動作・機能は、回路素子等のハードウェアの動作、演算素子に格納されたプログラム等のソフトウェアの動作、あるいはこれらの組合せにより実現されうる。
【００１８】
表示部１３は、制御部１２と通信可能に接続され、第１表示部１３ａを備えている。第１表示部１３ａは、装置の前面に設けられたディスプレイ装置である。制御部１２は、測定部１１に入力された測定信号を第１表示部１３ａにリアルタイム表示させる。
【００１９】
報知部１４は、制御部１２と通信可能に接続されている。制御部１２は、測定部１１が取得した各種パラメータの測定値を監視している。当該測定値が所定の条件を充足すると、制御部１２は患者２０が処置を要する容体であると判断し、報知部１４に報知情報としてのアラームを出力させる。
【００２０】
アラームの態様は所定の容体ごとに規格で定められており、視覚的な報知を伴うもの（メッセージ表示、マーク表示、発光など）と聴覚的な報知を伴うもの（ビープ音、アナウンスなど）の少なくとも一方を用いて行なわれる。報知部１４は、表示部１３と通信可能に接続されており、視覚的なアラームの少なくとも一部は、第１表示部１３ａを利用して出力される。
【００２１】
記憶部１５は、制御部１２と通信可能に接続されている。記憶部１５は、制御部１２を構成する演算処理回路の一部、または独立した記憶素子や記憶媒体として設けられる。記憶部１５は、識別情報１５ａを格納している。
【００２２】
識別情報１５ａは、自装置としてのモニタ装置１０を他のモニタ装置と識別するための情報である。識別情報１５ａは、モニタ装置１０を特定する装置ＩＤと、モニタ装置１０の設置位置を含む。設置位置は、患者２０の病室番号、ベッド番号、病室におけるベッドの位置、患者ＩＤ、患者名の少なくとも１つにより特定される。
【００２３】
モニタ装置１０の装置ＩＤを示す識別情報１５ａは、予め記憶部１５に格納されている。モニタ装置１０の設置位置を示す識別情報１５ａは、必要に応じてユーザが識別情報入力部１６を通じて入力し、記憶部１５に格納される。
【００２４】
識別情報入力部１６は、制御部１２と通信可能に接続されている。識別情報入力部１６は、ユーザが指示を入力するマンマシンインターフェースとして構成されており、ボタン、スイッチ、マウス、キーボード等により構成される。第１表示部１３ａの少なくとも一部をタッチパネルとして構成し、識別情報入力部１６の一部として機能するようにしてもよい。
【００２５】
制御部１２は、患者２０が所定の容体であることを判定すると、報知部１４にアラームとともに識別情報１５ａを音声情報として出力させるように構成されている。すなわちユーザは、モニタ装置１０を他のモニタ装置と識別するための情報を、アラーム状態とともに報知部１４によって報知される。
【００２６】
図２を参照し、モニタ装置１０の使用例について説明する。本例は、複数の病室（２０１号室、２０２号室、２０３号室）に同一機種のモニタ装置１０が設置されている場合を示す。便宜上、２０１号室に設置されたモニタ装置を符号１０ａで、２０２号室に設置されたモニタ装置を符号１０ｂで、２０３号室に設置されたモニタ装置を符号１０ｃで示す。ユーザ（医療従事者）は、各モニタ装置１０ａ、１０ｂ、１０ｃを設置する際に、識別情報入力部１６を通じて識別情報１５ａの入力を行なう。
【００２７】
本例においては、病室番号により各モニタ装置を識別することとする。図２の（ａ）に示すように、モニタ装置１０ａには「２０１号室」が、モニタ装置１０ｂには「２０２号室」が、モニタ装置１０ｃには「２０３号室」が、それぞれ識別情報１５ａとして入力される。これにより各モニタ装置１０ａ、１０ｂ、１０ｃは、設置位置の特定を通じて他のモニタ装置との識別がなされる。
【００２８】
図２の（ｂ）は、モニタ装置１０ａとモニタ装置１０ｃがアラームを出力している状態を示している。各モニタ装置１０ａ、１０ｃの報知部１４は、各患者２０の容体を示す所定のアラームとともに、記憶部１５に格納されている識別情報１５ａを音声情報として出力する。すなわちモニタ装置１０ａからは「２０１号室」というアナウンス音声が出力され、モニタ装置１０ｃからは「２０３号室」というアナウンス音声が出力される。
【００２９】
上記の構成によれば、報知を受けたユーザは、報知源のモニタ装置を直感的に把握することができ、報知に係る患者のもとへ迅速に駆けつけることが可能となる。また同一機種である複数台のモニタ装置１０が比較的離れた場所に設置されて、同時にアラームを出力している状況下においても、ユーザはアラームの報知源を容易に把握することができる。上記の効果は、同時に出力されているアラームの内容が同じである場合において、より顕著となる。
【００３０】
記憶部１５に格納された識別情報１５ａは、更新可能とされている。モニタ装置１０の設置場所に応じて、ユーザが適宜の識別情報１５ａを識別情報入力部１６を通じて入力し直すことにより、識別情報１５ａを更新することができる。したがって同一のモニタ装置１０を用いつつも、設置場所に応じて報知内容を変更することができる。
【００３１】
図３を参照し、モニタ装置１０の別の使用例について説明する。本例は、同一の病室に同一機種のモニタ装置１０が複数台設置されている場合を示す。便宜上、出入口より遠い左側のベッド脇に配置されたモニタ装置を符号１０ａで、出入口より遠い右側のベッド脇に配置されたモニタ装置を符号１０ｂで、出入口に近い左側のベッド脇に配置されたモニタ装置を符号１０ｃで、出入口に近い右側のベッド脇に配置されたモニタ装置を符号１０ｄで示す。ユーザ（医療従事者）は、各モニタ装置１０ａ、１０ｂ、１０ｃ、１０ｄを設置する際に、識別情報入力部１６を通じて識別情報１５ａの入力を行なう。
【００３２】
本例においては、病室内のベッドの位置により各モニタ装置を識別することとする。図３の（ａ）に示すように、モニタ装置１０ａには「左の窓側」が、モニタ装置１０ｂには「右の窓側」が、モニタ装置１０ｃには「左の通路側」が、モニタ装置１０ｄには「右の通路側」が、それぞれ識別情報１５ａとして入力される。これにより各モニタ装置１０ａ、１０ｂ、１０ｃ、１０ｄは、設置位置の特定を通じて他のモニタ装置との識別がなされる。
【００３３】
図３の（ｂ）は、モニタ装置１０ｂとモニタ装置１０ｃがアラームを出力している状態を示している。各モニタ装置１０ｂ、１０ｃの報知部１４は、各患者２０の容体を示す所定のアラームとともに、記憶部１５に格納されている識別情報１５ａを音声情報として出力する。すなわちモニタ装置１０ｂからは「右の窓側」というアナウンス音声が出力され、モニタ装置１０ｃからは「左の通路側」というアナウンス音声が出力される。
【００３４】
したがって、同一機種である複数台のモニタ装置１０が比較的近い場所に設置されて、同時にアラームを出力し、かつアラームの内容が同一であるような状況下においても、ユーザはアラームの報知源を容易に把握することができる。これによりアラーム状態に対する迅速な対応が可能となる。
【００３５】
病室におけるベッドの位置を具体的に特定しにくい場合、図４に示す例のように、ベッドすなわちモニタ装置の設置位置を色により特定し、各モニタ装置を他のモニタ装置と識別させることもできる。
【００３６】
便宜上、出入口の左側に位置するベッド脇に設置されたモニタ装置を、出入口より遠い側から順に符号１０ａ、１０ｂ、１０ｃで示す。同様に、出入口の右側に位置するベッド脇に設置されたモニタ装置を、出入口より遠い側から順に符号１０ｄ、１０ｅ、１０ｆで示す。モニタ装置１０ａには「紫」が、モニタ装置１０ｂには「緑」が、モニタ装置１０ｃには「橙」が、モニタ装置１０ｄには「黄」が、モニタ装置１０ｅには「赤」が、モニタ装置１０ｆには「青」が、それぞれ識別装置１５ａとして割り当てられている。
【００３７】
図４は、モニタ装置１０ｂとモニタ装置１０ｄがアラームを出力している状態を示している。各モニタ装置１０ｂ、１０ｄの報知部１４は、各患者２０の容体を示す所定のアラームとともに、記憶部１５に格納されている識別情報１５ａを音声情報として出力する。すなわちモニタ装置１０ｂからは「みどり」というアナウンス音声が出力され、モニタ装置１０ｄからは「きいろ」というアナウンス音声が出力される。
【００３８】
図１に示すように、モニタ装置１０の表示部１３は、第２表示部１３ｂを備えている。第２表示部１３ｂは、アラームが出力されていないときにも識別情報１５ａを表示しておくために設けられている。
【００３９】
例えば図４に示す場合において、モニタ装置１０ｂが備える第２表示部１３ｂには、識別情報１５ａとしての「みどり」という文字が常に表示される。ユーザとしての医療従事者は、第２表示部１３ｂに表示された「みどり」という文字を日常の医療行為の中で目にすることとなる。
【００４０】
これによりモニタ装置１０ｂとアラーム発生時に報知部１４より出力される「みどり」という音声との対応付け、および他のモニタ装置との識別が、日常的に意識付けされることになる。したがって、実際にアラームが発生した場合において、報知源のモニタ装置を直感的に把握することができるようになり、また患者の取り違えといった事態も回避しうる。
【００４１】
上記の実施形態は本発明の理解を容易にするためのものであって、本発明を限定するものではない。本発明は、その趣旨を逸脱することなく変更・改良され得ると共に、本発明にはその等価物が含まれることは明らかである。
【００４２】
図２から図４を通じて示した識別情報１５ａの設定の仕方は、相互に組み合わせることができる。例えば複数の病室に複数のベッドが配置されている場合、「２０１号室の右の窓側」といった形式で識別情報１５ａを設定することができる。識別情報１５ａは位置に関する情報に加えてあるいは代えて、患者情報（患者名、患者ＩＤなど）としてもよい。
【００４３】
第２表示部１３ｂに表示される識別情報１５ａは、他のモニタ装置との識別を可能とする限りにおいて、文字、記号、色の少なくとも１つにより構成することができる。例えば図４のモニタ装置１０ｂにおいて、文字「みどり」を第２表示部１３ｂに表示させる代わりに、緑色のマークを表示させたり、第２表示部１３ｂを緑色に発光させてもよい。また例えば、アラーム発生時における識別情報１５ａのアナウンス音声を男性の声または女性の声で出力することによって報知源の特定を行ない、第２表示部１３ｂには男性または女性を示すマークを表示させる構成としてもよい。あるいはアラーム音自体の音色や種類を変えることで報知源の特定を行なってもよい。
【００４４】
予め自らの声を録音して記憶部１５に記憶させておき、その声を識別情報１５ａとして利用する構成としてもよい。この場合、自らの声でアナウンス音声が出力されることで、自分が担当している患者に異常が発生したことを容易に把握できる。
【００４５】
アラーム発生時における報知部１４からの識別情報１５ａの出力は、必ずしも音声情報によりなされることを要しない。例えば図４に示す場合において、モニタ装置１０ｂ、１０ｄがそれぞれ「みどり」および「きいろ」というアナウンス音声を出力することに加えて、モニタ装置１０ｂ、１０ｄの一部をそれぞれ緑色および黄色に発光させる構成としてもよい。このような構成によれば、ユーザによる報知源の把握をより容易かつ確実にすることができる。音声情報に依らずに各モニタ装置を特定できる状況であれば、視覚的報知のみにより識別情報の出力を行なう構成としてもよい。
【００４６】
上記のように、記憶部１５に格納される識別情報１５ａとその報知態様の組み合わせは、モニタ装置１０の使用状況に応じて任意に定めることができ、その設定はユーザにより識別情報入力部１６を通じて行なわれる。図１に示すように、設定した内容は設定情報１５ｂとして記憶部１５に格納され、随時更新が可能とされる。
【００４７】
識別情報１５ａは、必ずしも第２表示部１３ｂに常時表示されることを要しない。医療従事者がモニタ装置１０に近づいたことを検知して表示する構成としてもよく、医療従事者が必要に応じて所定の操作を行なうことにより表示させる構成としてもよい。
【００４８】
モニタ装置１０は、識別情報１５ａを音声情報として出力する際において、アラームの原因に係る情報を併せて出力してもよい。例えば図２の（ｂ）において、モニタ装置１０ａが患者の「徐脈」を示すアラームを出力する場合、「２０１号室、徐脈」というアナウンス音声が出力される。
【００４９】
第２表示部１３ｂは、第１表示部１３ａの一部としてもよく、第１表示部１３ａとは別体の表示部としてモニタ装置１０に設けてもよい。
【００５０】
識別情報入力部１６を通じた識別情報１５ａの入力は必須ではない。他のモニタ装置との識別が可能である限りにおいて、予め記憶部１５に格納されている装置ＩＤを示す音声情報のみをアラームとともに出力させる構成としてもよい。「装置ＩＤ」はモニタ装置１０の種類、名称、型番の少なくとも１つを含む意味である。
【００５１】
本発明は、患者２０の容体を監視するモニタ装置１０以外にも、監視対象が所定の条件を充足したことを示す報知する報知部を備える適宜の監視装置に適用することができる。
【符号の説明】
【００５２】
１０：モニタ装置、１１：測定部、１３ｂ：第２表示部、１４：報知部、１５：記憶部、１５ａ：識別情報、１６：識別情報入力部
【図１】
2014124323.tif 000003
【図２】
2014124323.tif 000004
【図３】
2014124323.tif 000005
【図４】
2014124323.tif 000006